(57)【要約】【課題】本発明は、下方吸気方式の高周波加熱装置において、床面に結露水が滴下することとユーザー使用条件の極端な場合でも、冷却性能を確保するものである。【解決手段】ドア下部に水受け部４７を設け、床面と直行する本体の部分に第二の吸気口２５ｂを形成し、底板２５と水受け部４７に設けた吸気ガイド４７ｂ、４７ｃにて逆Ｕ字型の空間を形成することにより、結露水が床面に滴下する課題を解決するとともに、底板からの吸気が出来なくなった場合でも、確実に第二の吸気口２５ｂより低温の空気を吸気することができ、冷却が不十分になる事態を防止することができ部品の寿命や性能に悪影響を及ぼすことを未然に防ぐことができるという相乗効果を有するものである。【選択図】  図１
2004347250.tif 000002
【特許請求の範囲】
【請求項１】
開口部を有し被加熱物を加熱する加熱室と、前記加熱室の開口部を開閉する扉と、前記高周波加熱装置本体の前面下部に水蒸気が結露して前記扉に付着した水滴が床に滴下するのを防止する水滴受け部とを備え、前記水滴受け部には水滴を受ける凹形状の溝を設け、かつ前記高周波加熱装置本体より着脱可能な構成とした高周波加熱装置。
【請求項２】
加熱室の下部に高周波加熱装置本体を駆動する電気部品を有する機械室と、装置本体の底面を覆う底板より構成し、前記機械室内には前記電気部品を冷却する送風装置を設け、装置本体を設置する床面と対向する前記底板部分に設けた主たる吸気口と、前記高周波加熱装置本体の前面下部に設けられた第二の吸気口とを備え、前記第二の吸気口は、結露水の水滴を吸気口から浸入しないように水滴受け部で覆い、かつ前記水滴受け部の床面側に吸気用の孔または吸気ガイドを設けたことを特徴とする請求項１記載の高周波加熱装置。
【請求項３】
底板には支柱部と、水滴受け部にはツメ部とを設け、前記支柱部とツメ部とを勘合させることで、前期水滴受け部が床面と平行に装着できることで水をこぼれ難くしたことを特徴とする請求項１または２記載の高周波加熱装置。
【発明の詳細な説明】
【０００１】
【発明の属する技術分野】
本発明は電子レンジ及びオーブン電子レンジにおいて、加熱室の下部に電気部品を配置した機械室を設ける構成の高周波加熱装置における、被加熱物から生じる水蒸気の結露対策及び冷却の吸気方法に関するものである。
【０００２】
【従来の技術】
従来の高周波加熱装置は、被加熱物を収容する加熱室内に高周波を出力する高周波発生手段を備えた高周波加熱装置は、加熱室内の被加熱物に対して、短時間で効率のよい加熱ができるため、食材等の加熱調理機器である電子レンジとして急速に普及した。
【０００３】
しかし、高周波加熱による加熱だけでは、加熱調理の幅が限られるなどの不便があった。
【０００４】
そこで、加熱室内で発熱する電熱器を追加して、オーブン加熱を可能にした高周波加熱装置が提案され、近年では、更に、加熱室内に加熱蒸気を供給する蒸気供給機構を追加して、高温蒸気による加熱調理も可能にした蒸気発生機能付き高周波加熱装置が提案されている（例えば、特許文献１参照）。
【０００５】
しかしながら、従来装置はもちろんこの高周波加熱装置においても、加熱した後の庫内結露の発生があった。したがって使用者はスチーム加熱後、毎回庫内の結露を拭い取る作業を行っていた。そして結露を拭かないで扉を閉めたままにしておくといつまでも結露状態が続くので、次に扉を開いたときに庫内がベタベタに濡れたままなので何となく気持ちが悪いという苦情があった。また、扉についた水滴は、庫内側ガラス面等をつたい加熱室庫外に滴下する。
【０００６】
そこで、従来のこの種の対策としては図８・図９に記載されているようなものが一般的であった。図８・図９は従来例の高周波加熱装置の斜視図と扉と水受け部の要部断面図である。図８に示すように、高周波加熱装置本体１の内部には加熱室２が、また、その前面には開閉可能な扉３が設けられている。図８に示すように、扉３は、金属製の構造体４、樹脂製の外装部５、加熱室内２を見るためのガラス製のスクリーン６から構成されている。一方、加熱室２を構成する前板７の下部には、本体の底面を構成する底板８が設けられている。そして、被加熱物から発生した水蒸気が、前記扉３を構成する金属製の構造体４に結露し下部へ滴下する際、構造体４の下部に設けられた凹部９の端面より結露水を滴下させて、前記樹脂製の外装部５に伝わらないようにしながら、前記底板８に設けられた水受け部１０により受けるようになっていた（例えば、特許文献２参照）。
【０００７】
【特許文献１】
特開昭５４−１１５４４８号公報
【特許文献２】
実開平３−１１５３１８号公報
【０００８】
【発明が解決しようとする課題】
しかしながら、従来装置はもちろんこの高周波加熱装置においても、特にスチーム加熱した後の庫内結露量の発生はひどいものであり、扉についた水滴は、庫内側ガラス面等をつたい加熱室庫外に大量に滴下してしまう。
【０００９】
しかし、従来の構造では水受け部１０は本体を構成する底板８より構成しているため、取り外すことが出来ないので水受け部１０に溜まった被加熱物より発生する結露水及び屑を清掃する際、手が容易に届かなく使い勝手が悪いという課題があった。さらに、清掃性を高めるために扉の樹脂製の外装部５と水受け部１０の隙間を広げた場合、手を入れて清掃する際誤って扉が閉まった場合、手・指を詰めるという安全上の問題が発生するという課題があった。
【００１０】
また、扉についた水滴が庫内側ガラス面等をつたい加熱室庫外に大量に滴下してしまうために、従来の高周波加熱装置の冷却構造においては以下のような課題があった。図１０・図１１は従来例の高周波加熱装置の縦断面図と横断面図を示す。図１０は同高周波加熱装置の底板を取り外した状態での底面図である。
【００１１】
図１０に示すように、加熱室２の上壁面１１には管状の管ヒーター１２が、底壁面１３には面状の面ヒーター１４を設けている。高周波発生手段の電源部であるインバータ電源１５と高周波加熱装置の動作を制御する制御基板１６は、逆Ｕ字型の箱形状の電気部品取付板１７に設けられた１７ａ・１７ｂ部により宙吊り状態で配置している。電気部品取付板１７は、加熱室後壁面１８より下方に延出したフランジ１９部と加熱室前壁面２０より下方に延出したフランジ２１部に加熱室底壁面１３部を外側から覆うように載置している。ターンテーブル２２を駆動させるモーター２３は、面ヒーター１４からの熱伝導を避けるために取付板２４を介して電気部品取付板１７に取り付けている。底板２５に設けられた吸気口２５ａ（図１１記載）から送風機（後述）により吸気され、そして送風される冷却風は、インバータ電源１５・制御基板１６・モーター２３を冷却後、加熱室後壁面１８の下部に設けられた排気口２６より排気される。
【００１２】
図１１は、同高周波加熱装置の前部の横断面図である。図１１において、電気部品取付板１７の右側には、遠心式送風機であるシロッコファン２７と渦巻きケーシング２８と隈取り型モータ２９を、宙吊り状態に設置している。送風機の側方には、インバータ電源１５があり、送風機により冷却される。送風機とインバータ電源１５間には、効率よく冷却するため、整流ガイド３０を設けている。インバータ電源１５を通過した冷却風は、電気部品取付板１７の側壁に設けられた開口を経て、加熱室左側壁３１とキャビネット３２間を通り、本体裏板より排気する。また、加熱室右側壁３３とキャビネット３２間には断熱板３４が設置されており、送風機より発生する送風の一部が、加熱室右側壁３３と断熱板３４間を通り、加熱室右側壁３３に設けられた開口部（図示せず）より加熱室２内に送風する構成である。
【００１３】
図１２は、底板を取り外した状態での底面図であり、送風機による冷却風の流れを示している。図１２において、本体の前方右側には送風機があり、その側方にはインバータ電源１５、後方にはマグネトロン３５と加熱室２へ送風するためのガイド３６が、また、中央部にはモーター２３、そして、本体の後方には制御基板１６が設置されている。送風機による冷却風は、整流ガイド３０に設けられた第１の整流部３０ａと第２の整流部３０ｂにより、インバータ電源１５とマグネトロン３５に分流し、各々冷却している。また、第２の整流部３０ｂにより分流された冷却風の一部は、制御基板１６とモーター２３を冷却する構成である。整流ガイド３０は、冷却性能を向上させるために、吸気と排気を分離させるための仕切り部３０ｃを設けている。
【００１４】
このような構成、つまり送風装置を電気部品取付板の前側に配置する構成としたので、左右方向や後方及び上方の壁に近接して設置された場合でも、本体より排気された高温の空気を、再度送風装置により吸気する、いわゆるショートサーキット現象を防ぐことができるため十分な冷却を行うことが可能となる。このように加熱室の下方に機械室を設け、さらに送風装置を前側に配置することにによる利点である冷却性能を活かし高周波加熱装置本体を壁と近接して設置できる高周波加熱装置を実現していた。
【００１５】
しかしながら上記従来の高周波加熱装置の構成では、送風装置の吸気口は高周波加熱装置本体を設置する床面と対向する底板２５面にしかなく、しかも効率よく冷却するために整流ガイド３０に設けた吸気と排気を分離させるための仕切り部３０ｃがあるため、床面に柔軟な例えばビニールシートのようなものが敷かれた場合、送風装置であるシロッコファン２７と渦巻きケーシング２８と隈取り型モータ２９による吸引力により、柔軟な敷物が吸い上げられ、吸気口２５ａを塞ぐという現象が生じる。
【００１６】
吸気口２５ａが塞がれると、低温の空気が取り込めなくなるので、インバータ電源１５やマグネトロン３５・制御基板１６・モーター２３などの冷却が不十分になり、これらの部品の寿命や性能に悪影響を及ぼすという大きな課題があった。
【００１７】
【課題を解決するための手段】
本発明は上記課題を解決するため、開口部を有し被加熱物を加熱する加熱室と、前記加熱室の開口部を開閉する扉と、前記高周波加熱装置本体の前面下部に水蒸気が結露して前記扉に付着した水滴が床に滴下するのを防止する水滴受け部とを備え、前記水滴受け部には水滴を受ける凹形状の溝を設け、かつ前記高周波加熱装置本体より着脱可能な構成としたものである。
【００１８】
上記発明によれば、水滴受け部が高周波加熱装置本体より取り外しが可能となるため、水受け部に溜まった被加熱物より発生する結露水及び屑を容易に取り除くことができると同時に、従来例のように手を入れて清掃する際誤って扉が閉まった場合、手・指を詰めるという安全上の問題を防止することができる。
【００１９】
また、本発明の高周波加装置の冷却構造は、上記２つ目の課題を解決するため加熱室の下部に高周波加熱装置本体を駆動する電気部品を有する機械室と、装置本体の底面を覆う底板より構成し、前記機械室内には前記電気部品を冷却する送風装置を設け、装置本体を設置する床面と対向する前記底板部分に設けた主たる吸気口と、前記高周波加熱装置本体の前面下部に設けられた第二の吸気口とを備え、前記第二の吸気口は、結露水の水滴を吸気口から浸入しないように水滴受け部で覆い、かつ前期水滴受け部の床面側に吸気用の孔または吸気ガイドを設ける構成としたものである。
【００２０】
このような構成にすることにより、床面に柔軟な例えばビニールシートのようなものが敷かれた場合、送風装置であるシロッコファン２７と渦巻きケーシング２８と隈取り型モータ２９による吸引力により、柔軟な敷物が吸い上げられ、主たる吸気口２５ａが塞がれたとしても、第二の吸気口が設けられているので低温の空気を取り込むことができるので、冷却が不十分になる事態を防止することができ、インバータ電源１５やマグネトロン３５・制御基板１６・モーター２３など、これらの部品の寿命や性能に悪影響を及ぼすことを未然に防ぐことができる。
【００２１】
また、前記第二の吸気口は、結露水の水滴を吸気口から浸入しないように水滴受け部で覆い、かつ前期水滴受け部の床面側に吸気用の孔または吸気ガイドを設ける構成としているため、加熱室に発生した水蒸気が結露した水が滴下しても、機械室内に侵入し電気部品等を短絡するような故障を防止することができるとともに、水滴受け部の床面側に設けた吸気ガイドを底板と間隔を開けて並列に設けることにより、容易に吸気口に吸い付けられる柔軟なビニールシートでも、底板と吸気ガイドで構成される逆Ｕ字形状により、ビニールシートには床面方向へ力が加わるため床面と並行な本体の部分に設けられた第二の吸気口は塞がることが無く低温の空気を確実に取り込むことができる。
【００２２】
【発明の実施の形態】
本発明の請求項１にかかる高周波加熱装置は、開口部を有し被加熱物を加熱する加熱室と、前記加熱室の開口部を開閉する扉と、前記高周波加熱装置本体の前面下部に水蒸気が結露して前記扉に付着した水滴が床に滴下するのを防止する水滴受け部を有する。そして前記水滴受け部には水滴を受ける凹形状の溝を設け、かつ前記高周波加熱装置本体より着脱可能な構成となっているため、水受け部に溜まった被加熱物より発生する結露水及び屑を容易に取り除くことができると同時に、水受け部に手を入れて清掃する際、誤って扉が閉まった場合、手・指を詰めるという安全上の問題を防止することができる。
【００２３】
本発明の請求項２にかかる高周波加熱装置本体は、加熱室の下部に高周波加熱装置本体を駆動する電気部品を有する機械室と、装置本体の底面を覆う底板より構成し、前記機械室内には前記電気部品を冷却する送風装置を設け、装置本体を設置する床面と対向する前記底板部分に設けた主たる吸気口と、前記高周波加熱装置本体の前面下部に設けられた第二の吸気口とを有する。そして前記第二の吸気口は、結露水の水滴を吸気口から浸入しないように水滴受け部で覆い、かつ前記水滴受け部の床面側に吸気用の孔または吸気ガイドを設ける構成となっているため、床面に柔軟な例えばビニールシートのようなものが敷かれた場合にも、送風装置であるシロッコファンと渦巻きケーシングと隈取り型モータによる吸引力により、柔軟な敷物が吸い上げられ、主たる吸気口が塞がれたとしても、第二の吸気口が設けられているので低温の空気を取り込むことができるので、冷却が不十分になる事態を防止することができ、インバータ電源やマグネトロン・制御基板・モーターなど、これらの部品の寿命や性能に悪影響を及ぼすことを未然に防ぐことができる。
【００２４】
本発明の請求項３にかかる高周波加熱装置は、底板には支柱部と、水滴受け部にはツメ部とを設け、前記支柱部とツメ部とを勘合させることで、前期水滴受け部が床面と平行に装着する構成となっているため、使用者が水受け部を取り扱う際、水滴受け部が床面と平行に装着できるので、水受け部に溜まった結露水をこぼすことなく取り外しが可能となり使い勝を向上することができる。
【００２５】
このように、水受け部を設けることにより結露水が床面に滴下する課題を解決するとともに、加熱室の下部に機械室を設けた高周波加熱装置の冷却構造の不利な点を合わせて解決できるという効果を有する。
【００２６】
【実施例】
以下、添付図面に基づいて本発明の一実施の形態に係る蒸気発生機能付き高周波加熱装置を詳細に説明する。
【００２７】
図１３及び図１４は、本発明に係る蒸気発生機能付き高周波加熱装置の一実施の形態の外観図である。
【００２８】
この一実施の形態の蒸気発生機能付き高周波加熱装置１００は、食材の加熱調理に高周波加熱及び加熱蒸気による加熱が可能な電子レンジとして使用されるもので、食材等の被加熱物を収容する加熱室１０３内に高周波を出力する高周波発生手段（マグネトロン）１０５と、加熱室１０３内に加熱蒸気を供給する蒸気供給機構１０７とを備え、高周波と加熱蒸気との少なくともいずれかを加熱室１０３に供給して加熱室１０３内の被加熱物を加熱処理する。
【００２９】
加熱室１０３は、前面開放の箱形の本体ケース１１０内部に形成されており、本体ケース１１０の前面に、加熱室１０３の被加熱物取出口を開閉する透光窓１１３ａ付きの開閉扉１１３が設けられている。開閉扉１１３は、下端が本体ケース１１０の下縁にヒンジ結合されることで、上下方向に開閉可能となっており、上部に装備された取っ手１１３ｂを掴んで手前に引くことによって、図１４に示す開いた状態にすることができる。
【００３０】
加熱室１０３と本体ケース１１０との壁面間には所定の断熱空間が確保されており、必要に応じてその空間には断熱材が装填されている。
【００３１】
特に加熱室１０３の背後の空間は、加熱室１０３内の雰囲気を攪拌する循環ファン及びその駆動モータ（図示略）を収容した循環ファン室となっており、加熱室１０３の後面の壁が、加熱室１０３と循環ファン室とを画成する仕切壁となっている。
【００３２】
図示はしていないが、加熱室１０３の後面壁である仕切壁１１５には、加熱室１０３側から循環ファン室側への吸気を行う吸気用通風孔と、循環ファン室側から加熱室１０３側への送風を行う送風用通風口とが形成エリアを区別して設けられている。各通風孔は、多数のパンチ孔として形成されている。
【００３３】
本実施の形態の場合、図１４に示すように、高周波発生手段（マグネトロン）１０５は、加熱室１０３の下側の空間に配置されており、この高周波加熱装置５から発生した高周波を受ける位置にはスタラー羽根１１７が設けられている。そして、高周波発生手段１０５からの高周波を、回転するスタラー羽根１１７に照射することにより、該スタラー羽根１１７によって高周波を加熱室１０３内に撹拌しながら供給するようになっている。なお、高周波発生手段１０５やスタラー羽根１１７は、加熱室１０３の底部に限らず、加熱室１０３の上面や側面側に設けることもできる。
【００３４】
蒸気供給機構１０７は、図１５に示すように、装置本体に着脱可能に装備される１基の貯水タンク１２１と、加熱室１０３内に装備される２つの給水受け皿１２５と、これらの給水受け皿１２５を加熱して給水受け皿１２５上の水を蒸発させる加熱手段１２７と、貯水タンク１２１の水を加熱手段１２７による加熱域を経由して給水受け皿１２５に導く２系統の給水路１２９と、貯水タンク１２１と各給水路１２９との接続部に装備されて貯水タンク１２１の取り外し時に貯水タンク及び給水路内の水の漏れ出しを防止するタンク側の止水弁１３３及び給水路側の止水弁１４５と、給水路側の止水弁１４５よりも下流に配置されて給水路１２９から貯水タンク１２１への水の逆流を防止する逆止弁１４７とを備えて構成される。
【００３５】
上記した２系統よりなる給水路１２９の特長的構成は、後で詳述するが、各加熱手段１２７による加熱域から給水路先端の水吹出し口１２９ｅまでの距離が等距離に設定されていることにある。
【００３６】
なお、蒸気供給機構７は、図１６に示すように、１系統の給水路１２９から一つの給水受け皿１２５に水を供給して蒸気を発生させる構成とすることもできる。
【００３７】
本実施の形態において、貯水タンク１２１は、取り扱い性に優れる偏平な直方体状のカートリッジ式で、装置本体（本体ケース１１０）に対して着脱が容易にでき、しかも、加熱室１０３内の加熱によって熱的なダメージを受けにくいように、図１３にも示すように、本体ケース１１０の側面に組み付けられたタンク収納部１３５に差込装着される。  つぎに、本発明の一実施例における冷却構造について図面を用いて説明する。
【００３８】
図３は、本発明の一実施例の高周波加熱装置の斜視図であり、図４・図５・図６は、図３における高周波加熱装置の断面ＡーＡ・断面ＢーＢ・断面ＣーＣある。また、図７は、同高周波加熱装置の底板を取り外した状態での底面図である。
【００３９】
図３において、加熱室２の前面には、被加熱物を出し入れするためのドア３７を設けている。なお、ドア３７の下部には操作部３８をドアと一体に形成している。加熱室２の上面と左右側面にはキャビネット３２を設けている。キャビネット３２は、壁などに近接して設置せれても壁の表面が過加熱されないように排気口は設けていない。次に、図４・図５・図６を用いて内部構成について説明する。図４において、上壁面１１には管状の管ヒーター１２が、底壁面１３には面状の面ヒーター１４を設けている。高周波発生手段の電源部であるインバータ電源１５と高周波加熱装置の動作を制御する制御基板１６は、逆Ｕ字型の箱形状の電気部品取付板１７と、取付板３９と電気部品取付板１７を切り起して設けられた１７ａ・１７ｂにより宙吊り状態で配置している。電気部品取付板１７は、加熱室後壁面１８より下方に延出したフランジ１９部と加熱室前壁面２０より下方に延出したフランジ２１部に加熱室底壁面１３部を外側から覆うように載置している。ターンテーブル２２を駆動させるモーター２３は、面ヒーター１４からの熱伝導を避けるために取付板２４を介して電気部品取付板１７に取り付けている。底板２５に設けられた吸気口２５ａ（図５に記載）から送風機（後述）により吸気され、そして送風される冷却風は、インバータ電源１５・制御基板１６・モーター２３を冷却後、加熱室後壁面１８の下部に設けられた排気口２６より排気される。
【００４０】
図５は、同高周波加熱装置の前部の横断面図である。図５において、電気部品取付板１７の右側には、遠心式送風機であるシロッコファン２７と渦巻きケーシング２８と隈取り型モータ２９を、宙吊り状態に設置している。送風機の側方には、インバータ電源１５があり、送風機により冷却される。送風機とインバータ電源１５間には、効率よく冷却するため、整流ガイド３０を設けている。インバータ電源１５を通過した冷却風は、電気部品取付板１７の側壁に設けられた開口を経て、加熱室左側壁３１とキャビネット３２間を通り、本体裏板より排気する。また、加熱室右側壁３３とキャビネット３２間には断熱板３４が設置されており、送風機より発生する送風の一部が、加熱室右側壁３３と断熱板３４間を通り、加熱室右側壁に設けられた開口部（図示せず）より加熱室２内に送風する構成である。
【００４１】
図６は、同高周波加熱装置の中央部の横断面図である。図６において、高周波発生手段のマグネトロン３５は、加熱室右側面３３と当接しているマグネトロン取付板４０と導波管４１に取り付けられている。マグネトロン３５より照射された高周波は、導波管４１から加熱室２に導かれる。モーター２３の側方には、面ヒーター１４のリード線４２を固定する絶縁板４３が、電気部品取付板１７を切り起して設けられた取付部に取付られている。送風機による冷却風の流れは、図５と同様に、電気部品取付板１７の側壁に設けられた開口を経て、加熱室左側壁３１とキャビネット３２間を通り、本体裏板より排気される。
【００４２】
図７は、底板を取り外した状態での底面図であり、送風機による冷却風の流れを示している。図７において、本体の前方右側には送風機があり、その側方にはインバータ電源１５、後方にはマグネトロン３５と加熱室２へ送風するためのガイド３６が、また、中央部にはモーター２３、そして、本体の後方には制御基板１６が設置されている。送風機による冷却風は、整流ガイド３０に設けられた第１の整流部３０ａと第２の整流部３０ｂにより、インバータ電源１５とマグネトロン３５に分流し、各々冷却している。また、第２の整流部３０ｂにより分流された冷却風の一部は、制御基板１６とモーター２３を冷却する構成である。整流ガイド３０は、冷却性能を向上させるために、吸気と排気を分離させるための仕切り部３０ｃを設けている。
【００４３】
図１は、本発明の一実施例の高周波加熱装置の要部縦断面図である。図１において電気部品取付板１７の高周波加熱装置本体の前側には、遠心式送風機であるシロッコファン２７と渦巻きケーシング２８と隈取り型モータ２９を、宙吊り状態に設置している。前述した隈取り型モータ２９の下方には機械室を構成する底板２５があり、隈取り型モータ２９周辺に主たる吸気口２５ａを設けている。また、ドア３７の下方には底板の一部の形状を変えて第二の吸気口２５ｂを形成している。ドア３７の下部には水受け部４７が設けられている。水受け部４７は、底板２５に設けられたフランジ部２５ｃに沿うように設けられた溝部４７ａを挿入して高周波加熱装置本体に取付けられるように構成している。また、水受け部４７と底板２５に設けられたフランジ部２５ｃには、吸気ガイド部４７ｂ・４７ｃ及び開口部２５ｄが設けられており、前述した第二の吸気口２５ｂへ外気が導かれるよう構成されている。
【００４４】
ここで、送風装置の吸気の経路について説明する。通常は送風装置（シロッコファン２７）による吸気は、主に主たる吸気口２５ａより吸気されるとともに、第二の吸気口２５ｂからも吸気される。いま高周波加熱装置本体を設置する床面４５に、柔軟な例えばビニールシート４６のようなものが敷かれた場合には、送風装置（シロッコファン２７）の吸引力によりビニールシート４６は主たる吸気口２５ａを塞いでしまう。さらに送風装置の吸引力によりビニールシート４６は底板２５に吸い付けられるが、吸気ガイド部４７ｃと底板２５の段差部２５ｅにて構成される逆Ｕ字型部によりビニールシート４６を床面４５に向ける力（Ｆ）が加わるため、これから先は底板２５に吸い付けられることはなく、確実に第二の吸気口２５ｂより低温の空気を吸気することができる。第二の吸気口２５ｂ部周辺をこのように構成することにより、確実に低温の空気を取り込むことができるので、冷却が不十分になる事態を防止することができ、インバータ電源１５やマグネトロン３５・制御基板１６・モーター２３など、これらの部品の寿命や性能に悪影響を及ぼすことを未然に防ぐことができる。
【００４５】
次に、加熱室２内で被加熱物を加熱した際に発生する水蒸気がドア３７に結露した水の動きについて図面を用いて説明する。
【００４６】
前述した図１において、ドア３７の加熱室２側には、被加熱物の加熱状況を確認するためのガラス製のスクリーン４８があり、そしてその下部にはスクリーン４８の保持と高周波加熱源であるマグネトロン３５から照射された電波をシールする電波減衰部を備えた金属製の保持部４９が設けられている。保持部４９とドア３７の外郭を構成する外枠部５０の間には、樹脂製の内枠部５１が設けられている。加熱室２内の被加熱物が加熱されることにより発生する水蒸気は加熱室２内の壁面に結露するとともにドア３７の内側であるスクリーン４８にも結露する。このスクリーン４８に結露した結露水が成長し滴下する経路は、まず加熱室２を構成する加熱室前壁面２０とドア３７を構成する内枠部５１に伝わった後、そのまま加熱室前壁面２０を伝わり滴下する分と、内枠部５１に設けられた突起部５１ａにより内枠部５１から離れて垂直に滴下する分に別れる。加熱室前壁面２０に伝わった結露水は水受け部４７の吸気ガイド部４７ｂに伝わり、そして水滴を受ける凹形状の溝部４７ｃに溜まる。一方、突起部４７ａにより内枠部５１から離れて垂直に滴下する分は直接前述した水滴を受ける凹形状の溝部４７ｃに溜まる。前述した吸気ガイド部４７ｂは、加熱室前壁面２０の垂直面よりも奥側にすることで、またドア３７を構成する内枠部５１には突起部５１ａに設けることにより垂直に滴下させ確実に結露水を水受け部４７で受ける構成となっている。また使用者が水受け部４７に溜まった結露水や被加熱物から生じる屑を清掃する際に、水受け部４７を取り外すときに水受け部４７が傾いて結露水がこぼれないように、水受け部４７に設けた溝部４７ａを、底板２５に設けたフランジ部２５ｃに挿入することにより水受け部４７の動きが規制され水平方向のみ取り外せる構成となっている。
【００４７】
図２（ａ）・図２（ｂ）は、水受け部４７と底板２５要部を表側及び裏側から見たときの斜視図である。底板２５には前述した第二の吸気口２５ｂとフランジ部２５ｃ及び開口部２５ｄが設けられている。一方、水受け部４７には前述した溝部４７ａと吸気ガイド部４７ｂ及び吸気ガイド部４７ｃが設けられている。また、底板２５には高周波加熱装置本体を安定して設置するための支柱５２（足ゴム）が設けられ、一方の水受け部４７にはツメ部５３が設けられており、支柱５２にツメ部５３を勘合させて水受け部４７を高周波加熱装置本体に装着する構成となっているため、装着・取り外しが容易で、ツメ勘合のため勘合力をツメの肉厚及び支柱の径を操作することで最適な勘合にすることができるという効果がある。
【００４８】
このように、水受け部４７を設けることにより結露水が床面に滴下する課題を解決するとともに、加熱室２の下部に機械室を設けた高周波加熱装置の冷却構造の不利な点を合わせて解決できるという相乗効果を有し、さらに水受け部４７を取扱い易すくした使い勝手の良い高周波加熱装置を提供することができる。
【００４９】
【発明の効果】
以上説明したように高周波加熱装置は、前記高周波加熱装置本体の前面下部に水蒸気が結露して前記扉に付着した水滴が床に滴下するのを防止する水滴受け部を配し、水滴受け部には水滴を受ける凹形状の溝を設け、かつ前記高周波加熱装置本体より着脱可能な構成となっているため、床面に結露水が滴下するという品位を損なう課題を防止することが可能となるとともに、水受け部を取り外せるため結露水及び屑を容易に取り除くことができ、さらに、水受け部に手を入れて清掃する際、誤って扉が閉まった場合、手・指を詰めるという安全上の問題を防止することができるという効果を有するものである。
【００５０】
また、装置本体を設置する床面と対向する前記底板部分に設けた主たる吸気口と、前記高周波加熱装置本体の前面下部に設けられた第二の吸気口設けて、前記第二の吸気口は、結露水の水滴を吸気口から浸入しないように水滴受け部で覆い、かつ前記水滴受け部の床面側に吸気用の孔または吸気ガイドを設ける構成となっているため、床面に柔軟な例えばビニールシートのようなものが敷かれた場合にも、送風装置であるシロッコファンと渦巻きケーシングと隈取り型モータによる吸引力により、柔軟な敷物が吸い上げられ、主たる吸気口が塞がれたとしても、第二の吸気口が設けられているので低温の空気を取り込むことができるので、冷却が不十分になる事態を防止することができ、インバータ電源やマグネトロン・制御基板・モーターなど、これらの部品の寿命や性能に悪影響を及ぼすことを未然に防ぐことができる。
【００５１】
このように、水受け部を設けることにより結露水が床面に滴下する課題を解決するとともに、加熱室の下部に機械室を設けた高周波加熱装置の冷却構造の不利な点を合わせて解決できるという相乗効果を有し、さらに水受け部を取扱い易すくした使い勝手の良い高周波加熱装置を提供することができる。
【図面の簡単な説明】
【図１】本発明の一実施例における高周波加熱装置の要部縦断面図
【図２】（ａ）本発明の他の一実施例における要部の表側斜視図
（ｂ）本発明の他の一実施例における要部の裏側斜視図
【図３】本発明の一実施例における高周波加熱装置の斜視図
【図４】同高周波加熱装置の縦断面図（断面Ａ−Ａ）
【図５】同高周波加熱装置の横断面図（断面Ｂ−Ｂ）
【図６】同高周波加熱装置の横断面図（断面Ｃ−Ｃ）
【図７】同高周波加熱装置の底面図
【図８】従来例の高周波加熱装置の斜視図
【図９】従来例の高周波加熱装置の要部縦断面図
【図１０】従来例の高周波加熱装置の縦断面図
【図１１】同高周波加熱装置の前部横断面図
【図１２】同高周波加熱装置の底面図
【図１３】本発明に係る蒸気発生機能付き高周波加熱装置の一実施の形態の外観斜視図
【図１４】図１３に示した蒸気発生機能付き高周波加熱装置の加熱室の開閉扉を開いた状態で、加熱室内を前面から見た時の概略構成図
【図１５】図１３に示した蒸気発生機能付き高周波加熱装置における蒸気供給機構の概略構成図
【図１６】給水受け皿が一つの場合の蒸気供給機構の概略構成図
【符号の説明】
２  加熱室
２５  底板
２５ａ  主たる吸気口
２５ｂ  第二の吸気口
２５ｃ  フランジ部
２５ｄ  開口部
２５ｅ  段差部
４７  水受け部
４７ａ  溝部
４７ｂ  吸気ガイド
４７ｃ  吸気ガイド
【図１】
2004347250.tif 000003
【図２】
2004347250.tif 000004
【図３】
2004347250.tif 000005
【図４】
2004347250.tif 000006
【図５】
2004347250.tif 000007
【図６】
2004347250.tif 000008
【図７】
2004347250.tif 000009
【図８】
2004347250.tif 000010
【図９】
2004347250.tif 000011
【図１０】
2004347250.tif 000012
【図１１】
2004347250.tif 000013
【図１２】
2004347250.tif 000014
【図１３】
2004347250.tif 000015
【図１４】
2004347250.tif 000016
【図１５】
2004347250.tif 000017
【図１６】
2004347250.tif 000018